(57)【要約】【課題】外径の異なる複数に交換レンズ鏡筒に対し、汎用的に取り付け可能であり、レンズ鏡筒光軸方向に片持ち保持されたレンズ駆動用アダプタにおいて、レンズ繰り出し状態から衝撃を受けた際においても駆動伝達部の強度の劣化を防いだ、レンズ駆動用アダプタを提供すること。【解決手段】レンズ駆動用アダプタが有するレンズ鏡筒との駆動伝達部を、光軸直交で、且つ、レンズ鏡筒が光軸方向に引き込む際に回動する操作環の回転巻き込み方向に対し、２点の保持固定部の中点より離れる側に配置し、駆動伝達部の係合が、離間し難い配置としたことを特徴とする。【選択図】  図１
2020020826.tif 000002
【特許請求の範囲】
【請求項１】
複数のレンズ群で構成されたレンズ鏡筒であり、外周部に備えられた操作環と、
前記操作環を回動に連動し、光軸方向に進退可能なレンズ群と、
前記操作環の外周部に、外部より接続可能な第１の駆動伝達部を有したレンズ鏡筒に対し取り付けられ、第２の駆動伝達部を有し、前記第２の駆動伝達部は内部に供えられた駆動源により回動するレンズ駆動アダプタにおいて、
前記第２の駆動伝達部を周方向で挟むように配置した２点の保持固定部を有し、
前記２点の保持固定部は、前記レンズ鏡筒の外周円周面に当接され、
前記２点の保持固定部は、前記レンズ鏡筒に対して引き込む固定手段を有することで、前記レンズ鏡筒に対し、光軸方向に対し、片側保持され、
前記第２の駆動伝達部は前記第１の駆動伝達部に係合し、駆動を伝達し、
前記第２の駆動伝達部配置は、前記レンズ群が光軸方向に引き込む際に回動する前記操作環の回転巻き込み方向に対し、前記２点の保持固定部の中点より離れる側に配置されることを特徴とするレンズ駆動用アダプタ。
【請求項２】
前記第１の駆動伝達部と前記第２の駆動伝達部はギアであり、
前記第２の駆動伝達部の配置は、前記レンズ群が光軸方向に引き込む際に回動する前記操作環の回転巻き込み方向に対し、前記２点の保持固定部の中点より、前記第１および第２の駆動伝達ギアの圧力角以上離れる側に配置されることを特徴とする請求項１に記載のレンズ駆動用アダプタ。
【請求項３】
前記レンズ駆動用アダプタが取付け可能なレンズ鏡筒。
【請求項４】
前記レンズ鏡筒はカメラ本体に対し、着脱自在な交換レンズであることを特徴とする請求項３に記載のレンズ鏡筒。
【発明の詳細な説明】
【技術分野】
【０００１】
本発明は、レンズ鏡筒の駆動用アダプタに関し、特にレンズ鏡筒の外部から取り付けるレンズ駆動用アダプタに関する。
【背景技術】
【０００２】
従来交換レンズのレンズ駆動は手動にて操作環を回動させ、操作環の回転量に応じてレンズの位置を変動させるものが多く、電動でレンズ駆動させるためには、外部からレンズ駆動用アダプタユニットを取付ける方法がある。
【０００３】
特許文献１には交換式のレンズ鏡筒に外部から取り付けるレンズ駆動装置が開示されている。
【先行技術文献】
【特許文献】
【０００４】
【特許文献１】特開２００７−１０８３７３号公報
【発明の概要】
【発明が解決しようとする課題】
【０００５】
しかしながら、上述の特許文献１に開示された従来技術の様に、駆動伝達部を光軸方向にまたいで固定部を配置すると、レンズ全長の異なる複数の交換レンズでは、操作リングの幅や、配置など、レンズの種類により異なる為、特許文献１に記載の様に操作リングを挟んで固定する事ができない。よって、複数の交換レンズ鏡筒に汎用的に取り付けが困難であり、汎用的に取り付け可能とする為には、固定部がレンズ鏡筒の駆動伝達部に対して光軸方向で片側に配置する、片側保持とすることが考えられる。
【０００６】
片側支持を採用した場合、落下等により、レンズ繰り出し状態から繰り込み方向に衝撃を受けた際に、駆動伝達部に強制的に力が掛かり、駆動伝達部の配置により、駆動伝達部が離間する事があり、駆動伝達部の連結が離れ、駆動伝達部の強度が落ち、破損に至る場合も考えられる。
【０００７】
そこで、本発明の目的は、複数の交換レンズ鏡筒に対し、汎用的に取り付け可能なレンズ駆動用アダプタにおいて、レンズ繰り出し状態から衝撃を受けた際においても駆動伝達部の強度の劣化を防いだレンズ駆動用アダプタを提供することにある。
【課題を解決するための手段】
【０００８】
上記の目的を達成するために、本発明に係るレンズ駆動用アダプタは、
レンズ駆動用アダプタが有するレンズ鏡筒との駆動伝達部を、光軸直交で、且つ、レンズ鏡筒が光軸方向に引き込む際に回動する操作環の回転巻き込み方向に対し、２点の保持固定部の中点より離れる側に配置し、駆動伝達部の係合が、離間し難い配置としたことを特徴とする。
【発明の効果】
【０００９】
本発明によれば、外径の異なる複数に交換レンズ鏡筒に対し、汎用的に取り付け可能なレンズ駆動用アダプタにおいて、レンズ繰り出し状態から衝撃を受けた際においても駆動伝達部の強度の劣化を防いだ、レンズ駆動用アダプタを提供することができる。
【図面の簡単な説明】
【００１０】
【図１】本発明における好適な駆動伝達部の配置を説明する図
【図２】本発明におけるレンズ駆動用アダプタとレンズ鏡筒の関係を示す説明図
【図３】本発明におけるレンズ駆動用アダプタとレンズ鏡筒の関係を示す説明図
【図４】本発明におけるレンズ駆動用アダプタとレンズ鏡筒の関係を示す分解図
【図５】レンズ鏡筒が衝撃を受けた際のレンズ駆動用アダプタの状態を示す上視図
【図６】本発明にいて課題となる駆動伝達部の配置を説明する図
【発明を実施するための形態】
【００１１】
以下に、本発明の好ましい実施の形態を、添付の図面に基づいて詳細に説明する。図１は、本発明の実施形態にかかわるレンズ駆動用アダプタとレンズ鏡筒の概略構成を示す説明図である。
【実施例１】
【００１２】
以下、図１〜４を参照して、本発明の第１の実施例による、レンズ駆動用アダプタについて説明する。
【００１３】
３はレンズ交換式のカメラ本体である。２０１は交換可能なレンズ鏡筒であり、カメラ本体３のマウント部３０１により交換可能に取り付けられる。前記レンズ鏡筒２０１の内部には、複数のレンズ群で構成され、光軸方向沿って移動する事により、焦点距離変動を行うレンズ群、合焦状態を変動させるレンズ群等を有している。前記レンズ鏡筒２０１は焦点距離や明るさなど、仕様の違いにより外径が異なる。
【００１４】
２０２はレンズ駆動リングであり、光軸を中心軸に回動させる事で、前記レンズ鏡筒２内部の複数のレンズ群のいずれか１つの役割を有するレンズ群を、光軸方向に沿って移動することにより、焦点距離の変動または合焦状態の変動を行なうことができる。本実施例においては、図３に示すように、前記レンズ駆動リングの回動により、第１のレンズ枠が連動して光軸方向に進退する事で、焦点距離、又は合焦状態が変動される。
【００１５】
後の説明を容易にするために、図３では、レンズ駆動リングが矢印Ｂ方向に回転すると前記第１のレンズ枠は矢印ｂ方向に繰り出し、レンズ駆動リングが矢印Ｃ方向に回転すると前記第１のレンズ枠は矢印ｃ方向に繰り込む事にしているが、レンズ駆動リングの回転方向とレンズ鏡筒の進退の関係が逆でも良く、以降の説明の矢印方向についても同様である。
１はレンズ駆動用アダプタであり、１０１はレンズ駆動用アダプタケースである。１０２はレンズ駆動用アダプタケース１０１内に備えられた操作スイッチである。１０３はレンズ駆動用アダプタケース１０１の内部に備えられた、駆動源で有り、ＤＣモータや、圧電モータ、ステップモータ等のエンジン部を有し、複数のギアやプーリーなどで構成された減速機１０４を有する。
【００１６】
１０５は駆動制御部であり、前記操作スイッチ１０２の操作により、駆動源の駆動方向や、駆動速度、駆動時間等を制御する。１０６は駆動伝達部のギアであり、前記駆動源１０３に取り付けられた減速機１０４を介して駆動力を伝達されており、前記レンズ駆動リング２０２に設置された被駆動伝達部２０３のギアと噛み合う事で、前記駆動源１０３の駆動をレンズ駆動リング２０２に伝達する。
【００１７】
前記レンズ駆動用アダプタ１は、例えば１０７ａ、１０７ｂに示すように、ビス締めにより、レンズ鏡筒２０１に取り付けられる。取り付け方法はビス締めに限らず、レンズ鏡筒２０１に対し、レンズ駆動アダプタが引き込み固定できる手段であれば良い。
【００１８】
レンズ鏡筒２０１には被駆動伝達部２０３と同軸円周上に設定され、周方向に離間した２点の受け部２０４ａ、２０４ｂが配置されていて、レンズ駆動用アダプタ１に配置された前記２点の受け部２０４ａ、２０４ｂに対応して当接し、前記駆動伝達部１０６を挟むように配置された当接面部１０８ａ、１０８ｂを有している。
【００１９】
１０９はレンズ駆動用アダプタのバッテリーである。レンズ駆動用アダプタのバッテリー１０９はレンズ鏡筒２０１からなど、外部からの電源供給を受けられる場合は必要ではない。
【００２０】
図５はレンズ鏡筒が繰り出した状態で、レンズ鏡筒繰り込み方向に衝撃を受けた際のレンズ駆動用アダプタの状態を示す上視図である。この図におけるレンズ駆動用アダプタの駆動部は図６にて説明する配置であるとする。図６はレンズ駆動用アダプタの駆動伝達部１０６が本発明と逆の配置に有る場合の断面図である。図５と図６を用いて本発明にて解決したい課題を説明する。
【００２１】
図５に示すようにレンズ鏡筒が繰り出した状態において、レンズ正面方向から衝撃を受けると、強制的にレンズ鏡筒繰り込み方向に移動する。図３で示した通り、前記駆動リング２０２を矢印Ｃ方向に回転させるとレンズ鏡筒は繰り込み方向に駆動する為、前記のようにレンズ正面方向から衝撃を受けると、強制的にレンズ鏡筒繰り込み方向に移動すると、それに伴い、前記レンズ駆動リング２０２は、強制的に矢印Ｃ方向に回転させられる。
【００２２】
図６のように、駆動伝達部１０６のギアがレンズ駆動リングの回転方向Ｃに対し、巻き込まれる方向の近傍に配置されていた場合、レンズ駆動リングの駆動伝達部２０３と、前記駆動伝達部１０６のギア噛み合いの圧力角方向Ｅに力を受ける。前記圧力角方向Ｅに力を受けると、レンズ駆動アダプタ１とレンズ鏡筒２０１の取り付け固定部１０７ａ、１０７ｂを支点にＤ方向に離れる方向に力が加わる。
【００２３】
前記Ｄ方向に力が加わると、レンズ駆動リングの駆動伝達部２０３と、前記駆動伝達部１０６のギア噛み合いが離間する為、ギアの掛かりが浅くなり、先端部に力が掛かってしまい、ギアの変形や、歯欠けなど、ギアが破損する可能性が生じる。
【００２４】
図１に本発明における好適な駆動伝達部の配置を説明する図を示しているが、駆動伝達部１０６のギアがレンズ駆動リングの回転方向Ｃに対し、固定部１０７ａ、１０７ｂの間の中点より、巻き込まれる方向から遠い位置に配置されていた場合、レンズ駆動リングの駆動伝達部２０３と、前記駆動伝達部１０６のギア噛み合いの圧力角方向ｅに力を受ける。
【００２５】
前記圧力角方向ｅに力を受けると、レンズ駆動アダプタ１とレンズ鏡筒２０１の取り付け固定部１０７ａ、１０７ｂを支点にＤ方向に離れる方向は小さくなり、更にはギアの配置が前記中点部に対し、光軸中心と前記光軸中心と固定部１０７ａ、１０７ｂの中点を結ぶ直線と、前記駆動伝達部１０６の回転中心を結ぶ直線からなる角度Ａを、圧力角より大きくすると、Ｄ方向の力は、光軸方向に対し、引き込み方向に変わる為、ギアが離間することが無く、ギアの破損を防止することが出来る。
【００２６】
以上、本発明の好ましい実施形態について説明したが、本発明はこれらの実施形態に限定されず、その要旨の範囲内で種々の変形及び変更が可能である。
【符号の説明】
【００２７】
１  レンズ駆動用アダプタ、１０１  レンズ駆動用アダプタ本体、
１０２  操作スイッチ、１０３  駆動源、
１０４  駆動源に取り付けられた減速機、１０５  駆動制御部、
１０６  駆動伝達部、１０７ａ，１０７ｂ  取り付け機構部、
１０８ａ、１０８ｂ  当接部（円筒状突起）、１０９  バッテリー、
２０１  レンズ鏡筒、２０２  レンズ駆動リング（操作環）、
２０３  被駆動伝達部材、２０４ａ，２０４ｂ  レンズ駆動用アダプタ受け部、
３  カメラ本体、３０１  レンズ鏡筒取り付けマウント
【図１】
2020020826.tif 000003
【図２】
2020020826.tif 000004
【図３】
2020020826.tif 000005
【図４】
2020020826.tif 000006
【図５】
2020020826.tif 000007
【図６】
2020020826.tif 000008